(57)【要約】【課題】フック部材の不完全閉じ状態を判別し易い水加熱容器を提供する。【解決手段】フック部材８が、蓋体２００を閉じ位置に位置させたときに容器本体１００の径方向に前後進自在で且つ前進方向に付勢された状態で、蓋体２００に設けられ、フック部材８の後下がり傾斜状の下面８ｓが容器本体１００に当接した状態から、蓋体２００が下向きに移動されて閉じ位置に位置されるに伴って、フック部材８の前端部８Ａｆが嵌まり込んで蓋体２００を閉じ位置に保持する凹部２５が、容器本体１００に設けられ、フック部材８の前端部８Ａｆが、最前端８ｔよりも後退した後退部８ｒを有する形状に構成され、凹部２５を形成する凹部形成部材１２に、フック部材８の前端部８Ａｆが凹部２５に嵌まり込んだ状態で、フック部材８の前端部８Ａｆにおける後退部８ｒのみを当接させてフック部材８の前進を阻止する前進阻止受け部３６が設けられている。【選択図】図１０
2011235031.tif 000002
【特許請求の範囲】
【請求項１】
上部が開口し、内部に内容器を有する容器本体と、
その容器本体の開口部を開閉自在な蓋体とを備え、
前記蓋体を前記容器本体の開口部を閉じる閉じ位置に保持するフック部材が、前記蓋体を前記閉じ位置で前記容器本体の開口部に位置させたときに前記容器本体の径方向に前後進自在で且つ前進方向に付勢された状態で、前記蓋体に設けられ、
前記フック部材の前端部の下面が、後方側ほど上面から遠ざかる形態の後ろ下がり傾斜状に構成され、
前記フック部材の前記後下がり傾斜状の下面が前記容器本体に当接した状態から、前記蓋体が下向きに移動されて前記閉じ位置に位置されるに伴って、前記フック部材の前端部が嵌まり込んで前記蓋体を前記閉じ位置に保持する凹部が、前記容器本体に設けられた水加熱容器であって、
前記フック部材の前端部が、最前端よりも後退した後退部を有する形状に構成され、
前記凹部を形成する凹部形成部材に、前記フック部材の前端部が前記凹部に嵌まり込んだ状態で、前記フック部材の前端部における前記後退部のみを当接させて前記フック部材の前進を阻止する前進阻止受け部が設けられている水加熱容器。
【請求項２】
前記凹部形成部材が、前記容器本体の開口部の縁部を形成する口縁部材にて構成されている請求項１に記載の水加熱容器。
【請求項３】
前記後退部が、前記フック部材の幅方向両側に振り分けて１対設けられ、
前記前進阻止受け部が、前記１対の後退部に対応して、一対設けられている請求項１又は２に記載の水加熱容器。
【請求項４】
前記後退部及び前記前進阻止受け部夫々が、互いに面接触する状態で当接するように、面状に構成されている請求項１〜３のいずれか１項に記載の水加熱容器。
【請求項５】
前記フック部材又は前記蓋体の外周部を形成する蓋カバーに、半掛かり状態表示部が設けられ、
前記フック部材が前記凹部形成部材の前進阻止受け部に当接して前進が阻止される嵌め込み位置に位置する嵌め込み姿勢と、前記フック部材が前記嵌め込み位置よりも後方に位置する後退姿勢との間で、前記蓋カバーと前記フック部材との干渉状態の違いにより、前記半掛かり状態表示部が外部に露出される状態と露出されない状態とに切り換わるように構成されている請求項１〜４のいずれか１項に記載の水加熱容器。
【請求項６】
前記フック部材又は前記蓋体の外周部を形成する蓋カバーに、フリー状態表示部が設けられ、
前記フック部材が前記凹部形成部材の前進阻止受け部に当接して前進が阻止される嵌め込み位置に位置する嵌め込み姿勢と、前記フック部材が前記嵌め込み位置よりも前方に位置する前進姿勢との間で、前記蓋カバーと前記フック部材との干渉状態の違いにより、前記フリー状態表示部が外部に露出される状態と露出されない状態とに切り換わるように構成されている請求項１〜５のいずれか１項に記載の水加熱容器。
【発明の詳細な説明】
【技術分野】
【０００１】
本発明は、上部が開口し、内部に内容器を有する容器本体と、その容器本体の開口部を開閉自在な蓋体とを備え、前記蓋体を前記容器本体の開口部を閉じる閉じ位置に保持するフック部材が、前記蓋体を前記閉じ位置で前記容器本体の開口部に位置させたときに前記容器本体の径方向に前後進自在で且つ前進方向に付勢された状態で、前記蓋体に設けられ、前記フック部材の前端部の下面が、後方側ほど上面から遠ざかる形態の後ろ下がり傾斜状に構成され、前記フック部材の前記後下がり傾斜状の下面が前記容器本体に当接した状態から、前記蓋体が下向きに移動されて前記閉じ位置に位置されるに伴って、前記フック部材の前端部が嵌まり込んで前記蓋体を前記閉じ位置に保持する凹部が、前記容器本体に設けられた水加熱容器に関する。
【背景技術】
【０００２】
かかる水加熱容器は、フック部材の後下がり傾斜状の下面が容器本体に当接するように、蓋体を容器本体の開口部に位置させた状態から、その蓋体を閉じ位置に向けて下方に移動させることにより、フック部材をその前進方向に向く付勢力に抗して後退させつつ凹部の上縁部を乗り越えさせて、フック部材の前端部を凹部に嵌め込み、それによって、蓋体を閉じ位置に保持させるものである。
ちなみに、このような水加熱容器の具体例としては、例えば、電気ケトル、電気ポット、加湿器、炊飯器等が挙げられる。
【０００３】
フック部材は、蓋体の側周面から突出する状態で設けられており、蓋体を閉じ位置に向けて下方に移動させることにより、蓋体が容器本体の開口部に嵌まり込み、それに伴って、フック部材が凹部に嵌まり込むように構成されている。
又、フック部材の前端部の下面が後下がり傾斜状に形成されており、蓋体を閉じ位置に向けて下方に移動させるときに、フック部材を容器本体における凹部の上方の部材に当接させて付勢力に抗してスムーズに後退させると共に、スムーズに凹部の上縁部を乗り越えさせて凹部に嵌め込ませることが可能に構成されている。なお、フック部材の前端部の下面が後下がり傾斜状に形成されることにより、フック部材の前端は、後述する半掛かり状態となることを防止するために、ある程度尖った状態となっている。
【０００４】
ところで、凹部は、容器本体における開口縁の内側等に設けられるものであるが、蓋体が閉じ位置で容器本体に保持されているときに、凹部やその凹部に嵌め込まれているフック部材が外部から見えないようにして外観性を向上するために、凹部を容器本体の外周側に貫通しないように（即ち、外周側に底を有する有底状に）設けることになる。
一方、フック部材を、凹部に嵌まり込んだ状態で最前端が凹部の底部に当接するように設けると、フック部材の凹部への嵌め込み（蓋体の完全閉止）が繰り返されるのに伴って、凹部の底部に衝突するフック部材の最前端が磨耗して、その最前端面が拡がる。このように、フック部材の最前端面が上下方向で拡がった面となると、フック部材の最前端（最前端面）が、蓋体を下方に移動させるときに凹部の上方の部材や凹部の上縁部に引っ掛かり易くなり、これら凹部の上方の部材や凹部の上縁部に引っ掛かって釣合った状態（以下、半掛かり状態と記載する場合がある）となり易くなる。従って、容器本体の開口部が蓋体にて適切に閉じられない状態が起こり易くなり、このような状態で、万が一水加熱容器を誤って転倒させた場合は、蓋体が開いてしまう虞がある。
【０００５】
そこで、従来では、フック部材が凹部に嵌まり込むときに、フック部材の最前端が凹部の底部に衝突しないようにすべく、フック部材の前端部が凹部に嵌まり込むときに、その最前端が凹部の底部に達する手前で前進を阻止すべくフック部材を受け止める前進阻止受け部が、蓋体に設けられていた（例えば、特許文献１参照。）
【先行技術文献】
【特許文献】
【０００６】
【特許文献１】特許第３２２０５６５号公報
【発明の概要】
【発明が解決しようとする課題】
【０００７】
しかしながら、従来の水加熱容器では、フック部材が凹部に嵌まり込むときにフック部材の最前端が凹部の底部に衝突しないようにするための前進阻止受け部が、蓋体に設けられている結果、蓋体に設けられたフック部材は前進阻止受け部により常に受け止められて、フック部材がその可動範囲における最前部に位置する状態では、蓋体の側周面からのフック部材の突出長さが常に短くならざるを得ない。
即ち、フック部材が凹部に嵌まり込んだとき（蓋体が閉じ位置にあるとき）、及び、フック部材が凹部に嵌め込まれずに凹部の上方に位置する状態で、蓋体が容器本体の開口部に載置されたときの何れの場合でも、フック部材が蓋体に設けられた前進阻止受け部により受け止められる。また、フック部材が凹部に嵌まり込んだとき（蓋体が閉じ位置にあるとき）は、フック部材の最前端が凹部の底部に衝突しない。このため、フック部材がその可動範囲における最前部に位置する状態では、フック部材の最前端は、凹部の上方において凹部の底部に相当する位置よりも当然に蓋体の径方向内方側に位置することになる。従って、フック部材が凹部に嵌め込まれずに凹部の上方に位置する状態で、蓋体が容器本体の開口部に載置されたときにおけるフック部材の突出長さを、フック部材が凹部に嵌まり込んだとき（蓋体が閉じ位置にあるとき）におけるフック部材の突出長さよりも長くすることはできず、蓋体の側周面からのフック部材の突出長さが常に短くなる。
【０００８】
従って、従来の水加熱容器では、フック部材の後下がり状の下面が容器本体における凹部の上方の部材に受け止められた状態で、蓋体が容器本体の開口部に載置された状態では、フック部材が蓋体の側周面から突出する突出長さが短くなるので、蓋体の外周部と容器本体の開口部の縁部との隙間が狭くなり、蓋体により容器本体の開口部が確実に閉じられていない状態（以下、不完全閉じ状態と称する場合がある）となっていても、使用者は、当該隙間を視認し難く不完全閉じ状態を判別し難い。
【０００９】
一方、上述のような前進阻止受け部を省略して、フック部材が凹部に嵌まり込むときにフック部材の最前端が凹部の底部に衝突するようにすると、蓋体が容器本体の開口部に載置された状態において、フック部材が蓋体の側周面から突出する突出長さを長くすることが可能となる。しかしながら、上述したように、フック部材の最前端が磨耗し易くなるので、半掛かり状態になり易く、不完全閉じ状態を判別し難い。
【００１０】
本発明は、かかる実情に鑑みてなされたものであり、その目的は、フック部材の前端が尖った状態を確保しながら、フック部材の不完全閉じ状態を判別し易い水加熱容器を提供することにある。
【課題を解決するための手段】
【００１１】
上記目的を達成するための本発明に係る水加熱容器は、上部が開口し、内部に内容器を有する容器本体と、その容器本体の開口部を開閉自在な蓋体とを備え、前記蓋体を前記容器本体の開口部を閉じる閉じ位置に保持するフック部材が、前記蓋体を前記閉じ位置で前記容器本体の開口部に位置させたときに前記容器本体の径方向に前後進自在で且つ前進方向に付勢された状態で、前記蓋体に設けられ、前記フック部材の前端部の下面が、後方側ほど上面から遠ざかる形態の後ろ下がり傾斜状に構成され、前記フック部材の前記後下がり傾斜状の下面が前記容器本体に当接した状態から、前記蓋体が下向きに移動されて前記閉じ位置に位置されるに伴って、前記フック部材の前端部が嵌まり込んで前記蓋体を前記閉じ位置に保持する凹部が、前記容器本体に設けられた水加熱容器であって
その特徴構成は、前記フック部材の前端部が、最前端よりも後退した後退部を有する形状に構成され、
前記凹部を形成する凹部形成部材に、前記フック部材の前端部が前記凹部に嵌まり込んだ状態で、前記フック部材の前端部における前記後退部のみを当接させて前記フック部材の前進を阻止する前進阻止受け部が設けられている点にある。
【００１２】
上記特徴構成によれば、フック部材の前端部が凹部に嵌まり込むと、フック部材の前端部における後退部のみが前進阻止受け部に当接することにより、フック部材の最前端が凹部の底部に衝突することなくフック部材の前進が阻止されるので、凹部へのフック部材の嵌め込みが繰り返されても、フック部材の最前端の磨耗を抑制することができる。これにより、フック部材の最前端を尖った状態に維持することができ、フック部材の後下がり傾斜状の下面が容器本体における凹部の上方の部材に当接するように、蓋体を容器本体の開口部に位置させた状態（以下、フリー状態という場合がある）から、蓋体を嵌め込み位置（閉じ位置）に向けて下方に移動させるときに、フック部材の最前端が凹部の上方の部材や凹部の上縁部に引っ掛かる半掛かり状態による不完全閉じ状態の発生を効果的に抑制することができる。
【００１３】
加えて、フック部材の前端部における後退部のみを受け止める前進阻止受け部は、容器本体の凹部形成部材に設けられているので、フック部材が、フリー状態において蓋体の側周面から突出する突出長さを、嵌め込み位置（閉じ位置）における突出長さよりも長くすることができる。即ち、フック部材の後退部が容器本体の前進阻止受け部に当接した状態の嵌め込み位置（閉じ位置）におけるフック部材の最前端は、凹部の底部に相当する位置よりも径方向内方側に位置することとなる。一方で、フリー状態では、フック部材の後退部が容器本体の前進阻止受け部に当接しないので、フック部材の最前端は、凹部の底部に相当する位置よりも径方向外方に位置することが可能となる。これにより、フック部材におけるフリー状態での蓋体の側周面からの突出長さが長くなり、フリー状態では、蓋体の外周部と容器本体の開口部の縁部との隙間を大きくすることが可能となる。従って、不完全閉じ状態による隙間は比較的大きくなるので、当該隙間を使用者が容易に視認でき、不完全閉じ状態を判別し易いようにすることができる。
よって、フック部材の前端が尖った状態を確保しながら、フック部材の不完全閉じ状態を判別し易い水加熱容器を提供することができるようになった。
【００１４】
本発明に係る水加熱容器の更なる特徴構成は、前記凹部形成部材が、前記容器本体の開口部の縁部を形成する口縁部材にて構成されている点にある。
【００１５】
上記特徴構成によれば、容器本体の開口部の縁部を形成する口縁部材に、凹部が設けられるので、蓋体を容器本体の開口部から離間させると、容器本体の開口部の略全体が開放されることになる。
従って、内容器への湯水等の供給や、内容器内の洗浄を行い易いようにすることができた。
【００１６】
本発明に係る水加熱容器の更なる特徴構成は、前記後退部が、前記フック部材の幅方向両側に振り分けて１対設けられ、
前記前進阻止受け部が、前記１対の後退部に対応して、一対設けられている点にある。
【００１７】
上記特徴構成によれば、フック部材の先端部における幅方向両側の１対の後退部が一対の前進阻止受け部により受け止められるので、フック部材は、その最前端が凹部の底部に衝突しない状態の適切な姿勢で確実に凹部内に保持される。
従って、フック部材の最前端の磨耗を的確に抑制することができるので、半掛かり状態による不完全閉じ状態の発生をより効果的に抑制することができるようになった。
【００１８】
本発明に係る水加熱容器の更なる特徴構成は、前記後退部及び前記前進阻止受け部夫々が、互いに面接触する状態で当接するように、面状に構成されている点にある。
【００１９】
上記特徴構成によれば、フック部材が凹部に嵌まり込むときに、フック部材の後退部と前進阻止受け部とが面接触する状態で当接するので、後退部と前進阻止受け部との当接を確実なものとすることができる。
また、後退部と前進阻止受け部とが面接触する状態で衝突するので、フック部材が凹部に嵌まり込むときに比較的大きな衝突音が発生し、その衝突音により使用者は蓋体が容器本体に適切に保持されたことを認識し易くなる。
【００２０】
本発明に係る水加熱容器の更なる特徴構成は、前記フック部材又は前記蓋体の外周部を形成する蓋カバーに、半掛かり状態表示部が設けられ、
前記フック部材が前記凹部形成部材の前進阻止受け部に当接して前進が阻止される嵌め込み位置に位置する嵌め込み姿勢と、前記フック部材が前記嵌め込み位置よりも後方に位置する後退姿勢との間で、前記蓋カバーと前記フック部材との干渉状態の違いにより、前記半掛かり状態表示部が外部に露出される状態と露出されない状態とに切り換わるように構成されている点にある。
【００２１】
上記特徴構成によれば、半掛かり状態表示部により、フック部材が嵌め込み位置（閉じ位置）に位置する嵌め込み姿勢にあるときと、嵌め込み位置よりも後方に位置する後退姿勢にあるときとを的確に区別して判別することができる。
つまり、フック部材が嵌め込み位置よりも後方に位置する後退姿勢にあるときは、フック部材が半掛かり状態となっている虞があるので、不完全閉じ状態表示部により、半掛かり状態を的確に認識することができる。
従って、フック部材が半掛かり状態による不完全閉じ状態を使用者が的確に認識することができるようになった。
【００２２】
本発明に係る水加熱容器の更なる特徴構成は、前記フック部材又は前記蓋体の外周部を形成する蓋カバーに、フリー状態表示部が設けられ、
前記フック部材が前記凹部形成部材の前進阻止受け部に当接して前進が阻止される嵌め込み位置に位置する嵌め込み姿勢と、前記フック部材が前記嵌め込み位置よりも前方に位置する前進姿勢との間で、前記蓋カバーと前記フック部材との干渉状態の違いにより、前記フリー状態表示部が外部に露出される状態と露出されない状態とに切り換わるように構成されている点にある。
【００２３】
上記特徴構成によれば、フリー状態表示部により、フック部材が嵌め込み位置（閉じ位置）に位置する嵌め込み姿勢にあるときと、フック部材が嵌め込み位置よりも前方に位置する前進姿勢にあるときとを的確に区別して判別することができる。
つまり、フック部材が嵌め込み位置よりも前方に位置する前進姿勢にあるときは、フック部材がフリー状態になっているので、フリー状態表示部により、フリー状態を的確に認識することができる。
従って、フック部材がフリー状態になっていることによる不完全閉じ状態を使用者が的確に認識することができるようになった。
【図面の簡単な説明】
【００２４】
【図１】電気ケトルの外観を示す斜視図
【図２】ケトル本体が電源プレートから持ち上げられた状態での電気ケトルの斜視図
【図３】電気ケトルの縦断側面図
【図４】ケトル本体が電源プレートから持ち上げられた状態での電気ケトルの下部の縦断側面図
【図５】蓋体を容器本体から分離した状態でのケトル本体の斜視図
【図６】蓋カバーを省略した状態でのケトル本体の斜視図
【図７】蓋カバーが設けられた状態での図６のＶＩＩ−ＶＩＩ矢視図
【図８】蓋カバーが設けられた状態での図６のＶＩＩ−ＶＩＩ矢視図
【図９】蓋カバーが設けられた状態での図６のＩＸ−ＩＸ矢視図
【図１０】フック部材が嵌め込み姿勢にある状態を説明する図
【図１１】フック部材が嵌め込み姿勢にある状態でのケトル本体の要部の横断面図
【図１２】フック部材が半掛かり状態にある状態を説明する図
【図１３】フック部材がフリー状態にある状態を説明する図
【図１４】別実施形態に係るフック部材、凹部及び前進阻止受け部を示す要部の横断面図
【図１５】別実施形態に係るフック部材、凹部及び前進阻止受け部を示す要部の横断面図
【図１６】別実施形態に係るフック部材、凹部及び前進阻止受け部を示す要部の横断面図
【図１７】別実施形態に係るフック部材が半掛かり状態にある状態でのケトル本体の要部の縦断側面図
【図１８】別実施形態に係るフック部材がフリー状態にある状態でのケトル本体の要部の縦断側面図
【発明を実施するための形態】
【００２５】
以下、図面に基づいて、本発明を水加熱容器の一例としての電気ケトルに適用した場合の実施形態を説明する。
図１〜図３に示すように、電気ケトルは、電源プレートＰとその電源プレートＰに載置自在なケトル本体Ｋとを備えて構成されている。
ケトル本体Ｋの内部には、湯水を貯留する内容器１が設けられ、ケトル本体Ｋの外周部には、ケトル本体Ｋを持ち上げるための把手２が設けられ、並びに、ケトル本体Ｋの外周部の上部側には、内容器１内の湯水を注ぐ注ぎ口３が設けられている。把手２及び注ぎ口３は、ケトル本体Ｋの上部の中心に対して互いに反対側に振り分けて設けられている。
図５にも示すように、ケトル本体Ｋは、内部に前記内容器１を有して上部が開口した概ね有底円筒状の容器本体１００と、その容器本体１００の開口部を開閉自在な概ね円盤状の蓋体２００とを備えて構成されている。そして、蓋体２００は、容器本体１００の開口部に対して着脱自在で、その開口部に嵌めこまれた状態で容器本体１００に装着されることにより、その開口部を閉じるように構成されている。
【００２６】
図３及び図４に示すように、ケトル本体Ｋには、内容器１内の湯水を加熱する電気ヒータ４が備えられ、外部から供給される電力を電気ヒータ４に供給する受電機構５が底面の中央部に位置する状態で備えられ、並びに、図１及び図２に示すように、操作盤６が側周面の下部に位置する状態で備えられている。ちなみに、図示を省略するが、操作盤６には、電気ヒータ４への通電の開始及び停止を指令する運転スイッチ等が備えられている。
図２〜図４に示すように、電源プレートＰには、電源コード（図示省略）を通して供給される電力を外部に出力する給電機構７が上面の中央部に位置する状態で備えられている。
そして、ケトル本体Ｋを電源プレートＰに載置した給電姿勢において、受電機構５と給電機構７とが導通状態に接続されて、給電機構７から受電機構５を介して電気ヒータ４に給電されて、内容器１内の湯水が加熱されるように構成されている。
又、把手２を把持してケトル本体Ｋを持ち上げて注ぎ口３が下向きになるように傾けることにより、内容器１内の湯水を注ぎ口３から注ぐことになる。
【００２７】
図１及び図２に示すように、ケトル本体Ｋの蓋体２００には、蓋体２００を容器本体１００の開口部を閉じる閉じ位置に保持する一対のフック部材８、注ぎ口３からの内容器１内の湯水の流出を許容するか否かに切り換えるための弁操作具９、及び、内容器１で発生する蒸気を放出するための蒸気口１０等が設けられている。
【００２８】
次に、図３〜図９に基づいて、ケトル本体Ｋについて説明を加える。
尚、図６は、蓋体２００の蓋カバー１６（詳細は後述する）を省略した状態でのケトル本体Ｋの斜視図であり、図７及び図８は、蓋カバー１６を設けた状態での図６におけるＶＩＩ−ＶＩＩ矢視図であり、図９は、蓋カバー１６を設けた状態での図６におけるＩＸ−ＩＸ矢視図である。
【００２９】
図３に示すように、容器本体１００は、概ね、有底円筒状の外郭部材１１の口縁部に口縁部材１２を嵌め込むと共に、その口縁部材１２に有底円筒状の前記内容器１を吊り下げ支持して構成され、更に、中空状の前記把手２が口縁部材１２と外郭部材１１とに跨って取り付けられている。
図３及び図４に示すように、前記電気ヒータ４は、内容器１の底面に当接する状態で設けられている。
外郭部材１１の底部の中心部には、その底面から引っ込んだ状態で、前記給電機構７を嵌め込むことが可能な円状の給電機構嵌め込み用凹部１３が設けられ、その給電機構嵌め込み用凹部１３内に前記受電機構５が設けられている。
その受電機構５は、ピン状の中心電極５ａと、その中心電極５ａの外周部に設けられた外側電極５ｂと、その外側電極５ｂの外周部に設けられたアース用電極（図示省略）とを備えて構成されている。ちなみに、中心電極５ａと外側電極５ｂは、後述する給電機構７の中心穴７Ａと環状穴７Ｂに夫々設けられた給電用の中心電極７ａ、外側電極７ｂに接続されて、それらの電極から供給される電力を受ける受電用の電極であり、アース用電極は、後述する給電機構のアース用電極に接続される。
【００３０】
図３、図７及び図８に示すように、口縁部材１２における把手２の上端部の取付部には、蓋体２００に設けられた蒸気検知用通路２２（詳細は後述する）を通して内容器１から導かれる蒸気を検知する蒸気検知センサ１４が設けられている。
図示を省略するが、外郭部材１１の底部と内容器１の底部との間の空間には、制御部が設けられている。この制御部は、操作盤６からの指令や蒸気検知センサ１４の検出情報に基づく電気ヒータ４への通電の制御等を行うように構成されている。
【００３１】
図３、図５、図７及び図９に示すように、蓋体２００は、蓋本体部材１５、その蓋本体部材１５の上方の蓋カバー１６、蓋本体部材１５の下方の内蓋板１７、及び、その内蓋板１７の外周部のシール材１８等を一体的に組み付けて構成されている。
容器本体１００の口縁部材１２には、前記注ぎ口３の下方部分を構成する溝状部１２ｍが形成され、蓋体２００の蓋本体部材１５には、前記注ぎ口３の上方部分を構成する庇部１５ｅが設けられている。
そして、口縁部材１２の溝状部１２ｍの上方を蓋本体部材１５の庇部１５ｅが覆う状態となる蓋体装着用の相対位置関係で、蓋体２００を容器本体１００の開口部に装着すると、口縁部材１２の溝状部１２ｍと蓋本体部材１５の庇部１５ｅにより、筒状の注ぎ口３が形成されることになる。
【００３２】
図７及び図８に示すように、内蓋板１７には複数の孔１７ｈが形成され、蓋体２００における蓋本体部材１５と内蓋板１７との間には、内蓋板１７に形成された複数の孔１７ｈを通して容器本体１００の内容器１に連通する容器連通空間１９が形成されている。
そして、蓋本体部材１５には、基端が容器連通空間１９に臨み且つ先端が注ぎ口３内に延びる注ぎ用通路２０、及び、基端が容器連通空間１９に臨み且つ先端が蓋体２００の上面部にまで延びる蒸気放出用通路２１が形成され、その蒸気放出用通路２１の先端開口部が前記蒸気口１０として機能する。
図１及び図５にも示すように、蒸気口１０は、蓋体２００の上面における注ぎ口３と把手２を結ぶ線上における把手２の側に偏った位置に開口されている。
又、図７及び図８にて示すように、蓋本体部材１５には、蒸気放出用通路２１から分岐する前記蒸気検知用通路２２が形成され、図５にも示すように、その蒸気検知用通路２２は、その先端が、蓋体２００が容器本体１００に装着された状態で、蓋本体部材１５の側周部において口縁部材１２における把手２の取付部に対向する箇所に開口するように形成されている。
【００３３】
詳細な図示を省略するが、図３、図７及び図８に示すように、蒸気放出用通路２１における蒸気検知用通路２２の分岐箇所よりも上流側の部分には、電気ケトルが転倒すると蒸気放出用通路２１を閉じるように移動すべく、２個の錘体２３が設けられている。
従って、電気ケトルが転倒しても、２個の錘体２３が蒸気放出用通路２１を閉じるように移動するので、内容器１内の湯水が蒸気口１０や蒸気検知用通路２２の先端開口から漏出するのが防止される。
【００３４】
前記蒸気検知センサ１４は、蓋体２００が容器本体１００に装着された状態で、蓋体２００の蒸気検知用通路２２の先端開口部に臨むように、口縁部材１２に取り付けられている。
電気ヒータ４による加熱により内容器１内の水が沸騰して蒸気が発生すると、その蒸気が蒸気放出用通路２１を通して蒸気口１０に導かれてその蒸気口１０から放出されると共に、蒸気放出用通路２１及び蒸気検知用通路２２により蒸気検知センサ１４に導かれる。
そして、前記制御部は、蒸気検知センサ１４が蒸気を感知すると、電気ヒータ４への通電を遮断するように構成されている。
【００３５】
図５、図６及び図９に示すように、一対のフック部材８の夫々は、蓋体２００を閉じ位置で容器本体１００の開口部に位置させたときに容器本体１００の径方向に前後進自在で且つコイルバネ２４により前進方向（蓋体２００の径方向外方側、即ち、容器本体１００の径方向外方側）に付勢された状態で設けられている。
又、各フック部材８の前端部８Ａｆの下面８ｓが、後方側ほど上面から遠ざかる形態の後ろ下がり傾斜状に構成されている。
容器本体１００には、フック部材８の後下がり傾斜状の下面８ｓが容器本体１００に当接した状態から、蓋体２００が下向きに移動されて閉じ位置に位置されるに伴って、フック部材８の前端部８Ａｆが嵌まり込んで蓋体２００を閉じ位置に保持する凹部２５が設けられている。
一対のフック部材８は、蓋体２００の中心に対して互いに反対側に振り分けて一対設けられ、凹部２５も、各フック部材８にそれぞれ対応するように一対設けられている。
【００３６】
図５、図６及び図９に示すように、各フック部材８は、側面視形状が概ねＬ字状である。以下、側面視形状がＬ字状のフック部材８において、横方向に沿う辺部に相当する部分を嵌め込み用辺部８Ａと称し、上下方向に沿う辺部に相当する部分を操作用辺部８Ｂと称する場合がある。
そして、一対のフック部材８の夫々は、嵌め込み用辺部８Ａの前端が蓋体２００の径方向外方を向き、その嵌め込み用辺部８Ａの前端が蓋本体部材１５の側周面から突出する状態で、コイルバネ２４により蓋体２００の径方向外方に向けて付勢されて蓋本体部材１５に設けられている。
【００３７】
図５及び図９に示すように、前記の各凹部２５は、容器本体１００の口縁部材１２に、蓋体２００の径方向外方側の端部、即ち、外径側の底部２５ｂが閉じられた有底状に形成され、各凹部２５の上縁部には、口縁部材１２の内方側に突出する形態で庇２６が設けられている。この庇２６の上面２６ｓは、先端側（フック部材８の後方側に相当する）ほど下方に位置する形態（以下、前下がり状と記載する場合がある）の傾斜状に形成されている。
【００３８】
図３、図７及び図８に示すように、蓋体２００には、弁体２７の上下動により注ぎ口３からの内容器１内の湯水の流出を許容する開き状態と阻止する閉じ状態とに切り換え自在な弁機構Ｖが設けられている。
更に、蓋体２００には、支点周りに揺動して弁体２７を作用点９ｗにて上下動させて弁機構Ｖを開き状態と閉じ状態とに切り換える前記弁操作具９が、蓋体２００が容器本体１００の開口部に嵌め込まれた状態で、力点に相当する操作部９ｈが把手２の上方に位置するように設けられている。
【００３９】
図７及び図８に示すように、弁機構Ｖは、蓋本体部材１５により形成される弁ケース２８と、その弁ケース２８に上下動自在に保持された前記弁体２７と、その弁体２７を上方側に付勢することにより弁座２９に押し付けるコイルバネ３０等を備えて構成されている。
つまり、図７に示すように、弁体２７を下方側に押し下げる力が作用しない状態では、コイルバネ３０の付勢力により弁体２７が弁座２９に押し付けられる状態に保持されることになり、弁機構Ｖが注ぎ用通路２０を閉じる閉じ状態に保持されることになる。
【００４０】
図６〜図８に示すように、前記弁操作具９は、把手２の側の力点側てこ部材９１と弁機構Ｖの側の作用点側てこ部材９２とを、一方が揺動するのに伴って他方が揺動するように、把手２と弁機構Ｖとの間において端部同士を連結した状態で設けて構成されている。
そして、力点側てこ部材９１が、把手側の端部を力点に相当する操作部９ｈとして把手２の上方に位置させた状態で、長手方向の中間部を支点Ｐ１として水平方向の軸心周りに揺動自在に設けられ、作用点側てこ部材９２が、その把手側の端部が力点側てこ部材９１の弁機構側の端部に連結されて、力点側てこ部材９１の上下方向揺動に連動して上下方向に揺動するのに伴って、弁体２７を上下動させて弁機構Ｖを開き状態と閉じ状態とに切り換えるように設けられている。
具体的には、作用点側てこ部材９２が、その弁機構側の端部が弁体２７の上方に位置する状態で、弁機構Ｖと把手側の端部との間を支点Ｐ２として水平方向の軸心周りに揺動自在に設けられている。つまり、作用点側てこ部材９２において弁体２７の上端部に当接する部分が作用点９ｗとなる。
【００４１】
つまり、力点側てこ部材９１をその把手側の端部の操作部９ｈを押し下げる方向に揺動させると、その揺動に連動して、作用点側てこ部材９２がその弁機構側の端部が下がる方向に揺動することになる。そして、図６〜図８に示すように、作用点側てこ部材９２をその弁機構側の端部が上方に移動する方向に揺動するように、換言すれば、力点側てこ部材９１をその把手側の端部の操作部９ｈが上方に移動する方向に揺動するように付勢するバネ部材３１が設けられている。
【００４２】
又、図６〜図８に示すように、力点側てこ部材９１の弁機構側の部分、及び、作用点側てこ部材９２の把手側の部分夫々が二股状に構成されて、力点側てこ部材９１の二股状の部分と作用点側てこ部材９２の二股状の部分とが、蒸気口１０の両側部を囲む状態で連結されている。
【００４３】
そして、図８に示すように、バネ部材３１の付勢力に抗して力点側てこ部材９１の把手側の端部の操作部９ｈを押し下げると、作用点側てこ部材９２がその弁機構側の端部の作用点９ｗが下がる方向に揺動して、その作用点９ｗにより弁体２７がコイルバネ３０の付勢力に抗して押し下げられることになり、弁機構Ｖが注ぎ用通路２０を開く開き状態に切り換えられる。
【００４４】
図５、図７及び図９に示すように、蓋体２００の蓋カバー１６には、一対のフック部材８夫々を移動操作するための一対のフック操作用開口３２、力点側てこ部材９１の把手側の部分を突出させるためのてこ操作用開口３３、及び、蓋本体部材１５の蒸気口１０を臨ませるための蒸気口用開口３４が形成されている。
そして、蓋カバー１６の蒸気口用開口３４には、複数のスリットが形成された蒸気口キャップ３５が嵌め込まれている。
【００４５】
図２〜図４に示すように、給電機構７は、外観形状が概略円柱状に構成されて、電源プレートＰの上面の中央にその上面から突出するように設けられている。
給電機構７は、図３及び図４に示すように、中心穴７Ａと、その中心穴７Ａと同心に設けられた環状穴７Ｂとを備え、これら穴７Ａ，７Ｂに夫々設けられる中心電極７ａ、外側電極７ｂと、給電機構７の円柱状外周部位の周方向一部に設けられるアース用電極（図示省略）とを備えて構成されている。
そして、ケトル本体Ｋが電源プレートＰ上に給電姿勢で載置されると、給電機構７がケトル本体Ｋ底部の給電機構嵌め込み用凹部１３内に嵌り込んで、給電機構７と受電機構５の互いの電極が電気的に接続されて給電が可能となる。
【００４６】
次に、図５、図９〜図１３に基づいて、本発明による特徴構成について説明する。
尚、図１０において、（ａ）は、蓋体２００におけるフック部材８周辺の平面図であり、（ｂ）は（ａ）のＸｂ−Ｘｂ矢視図であり、（ｃ）は（ａ）のＸｃ−Ｘｃ矢視図である。又、図１２において、（ａ）は、蓋体２００におけるフック部材８周辺の平面図であり、（ｂ）は（ａ）のＸＩＩｂ−ＸＩＩｂ矢視図である。又、図１３において、（ａ）は、蓋体２００におけるフック部材８周辺の平面図であり、（ｂ）は、（ａ）のＸＩＩＩｂ−ＸＩＩＩｂ矢視図である。
【００４７】
図５、図９〜図１１に示すように、本発明では、フック部材８の前端部８Ａｆが、最前端８ｔよりも後退した後退部８ｒを有する形状に構成され、凹部２５を形成する凹部形成部材としての口縁部材１２に、フック部材８の前端部８Ａｆが凹部２５に嵌まり込んだ状態で、フック部材８の前端部８Ａｆにおける後退部８ｒのみを当接させてフック部材８の前進を阻止する前進阻止受け部３６が設けられている。ここで、フック部材８の前端部８Ａｆとは、フック部材８の嵌め込み用辺部８Ａにおける径方向外方側である前端側の部分に相当し、フック部材８の最前端８ｔとは、フック部材８の前端部８Ａｆにおける最も前方の縁に相当する。
この実施形態では、後退部８ｒが、フック部材８の幅方向両側に振り分けて一対設けられ、前進阻止受け部３６が、１対の後退部８ｒに対応して、一対設けられている。
又、後退部８ｒ及び前進阻止受け部３６夫々が、互いに面接触する状態で当接するように、上下方向に沿う面状に構成されている。
【００４８】
図１０、図１２及び図１３に示すように、各フック部材８は、嵌め込み用辺部８Ａの上面における蓋体２００の径方向外方側の部分、及び、操作用辺部８Ｂの上面における蓋体２００の径方向内方側の部分が蓋カバー１６に覆われた状態で、フック操作用開口３２から外部に臨むように設けられている。
図１３に示すように、蓋体２００が容器本体１００に対して閉じ位置よりも上方に位置して、フック部材８が凹部２５に嵌め込まれていない状態では、フック部材８はフック操作用開口３２における蓋体２００の径方向外方側の口縁部にて受け止められて前進が阻止される状態（以下、フリー状態と称する場合がある）となっている。
そして、フック部材８がフリー状態で、蓋体２００が前記蓋体装着用の相対位置関係で容器本体１００の開口部に載置されると、フック部材８の最前端８ｔは、凹部２５の上方において凹部２５の底部２５ｂに相当する位置よりも外方側に位置している。
【００４９】
又、図１０に示すように、蓋体２００が容器本体１００に対して閉じ位置に保持されて、フック部材８が凹部２５に適切に嵌め込まれた状態（以下、嵌め込み姿勢と称する場合がある）では、フック部材８の前端部８Ａｆの後退部８ｒが前進阻止受け部３６に受け止められることにより、フック部材８はフリー状態におけるよりも蓋体２００の径方向内方側に位置することになる。即ち、フック部材８は、フリー状態では、フック操作用開口３２における蓋体２００の径方向外方側の口縁部にて受け止められて前進が阻止され、一方で、嵌め込み姿勢では、フック部材８の前端部８Ａｆの後退部８ｒが前進阻止受け部３６に受け止められ、それぞれ異なる部材により前進が阻止される構成となっている。
又、図１２に示すように、蓋体２００が容器本体１００に対して閉じ位置に保持されずに、フック部材８の最前端８ｔが庇２６の先端に引っ掛かって釣合っている状態（以下、半掛かり状態と称する場合がある）では、フック部材８は嵌め込み姿勢におけるよりも蓋体２００の径方向内方側に位置することになる。
【００５０】
そして、図１０及び図１３に示すように、フック部材８の操作用辺部８Ｂの上面部には、フック部材８が嵌め込み姿勢にあるときには蓋カバー１６に覆われ且つフック部材８がフリー状態にあるときは露出する位置に位置させて、フリー状態表示シート３７が貼着されている。
又、図１０及び図１２に示すように、フック部材８の嵌め込み用辺部８Ａの上面部には、フック部材８が嵌め込み姿勢にあるときには蓋カバー１６に覆われ且つフック部材８が半掛かり状態にあるときは露出する位置に位置させて、半掛かり状態表示シート３８が貼着されている。
【００５１】
つまり、フック部材８に、半掛かり状態表示部としての半掛かり状態表示シート３８が設けられ、フック部材８が口縁部材１２の前進阻止受け部３６に当接して前進が阻止される嵌め込み位置に位置する嵌め込み姿勢と、フック部材８が前記嵌め込み位置よりも後方に位置する後退姿勢との間で、蓋カバー１６とフック部材８との干渉状態の違いにより、半掛かり状態表示シート３８が外部に露出される状態と露出されない状態とに切り換わるように構成されていることになる。
又、フック部材８に、フリー状態表示部としてのフリー状態表示シート３７が設けられ、フック部材８が口縁部材１２の前進阻止受け部３６に当接して前進が阻止される嵌め込み位置に位置する嵌め込み姿勢と、フック部材８が前記嵌め込み位置よりも前方に位置する前進姿勢との間で、蓋カバー１６とフック部材８との干渉状態の違いにより、フリー状態表示シート３７が外部に露出される状態と露出されない状態とに切り換わるように構成されていることになる。
【００５２】
次に、蓋体２００を容器本体１００に装着したり、容器本体１００から取り外すときの手順について、説明を加える。
蓋体２００を容器本体１００に装着するときは、一対のフック部材８がフリー状態となっている状態で、蓋体２００を前記蓋体装着用の相対位置関係で容器本体１００の開口部に載置する。すると、一対のフック部材８夫々の前端部８Ａｆにおける後下がり傾斜状の下面８ｓが一対の凹部２５夫々の庇２６における前下がり傾斜状の上面２６ｓと略平行状態となってその上面２６ｓに当接する状態となる。
このように、一対のフック部材８がフリー状態になっている状態で、蓋体２００を容器本体１００の開口部に載置していると、フリー状態表示シート３７が外部から見える状態となっているので、使用者は、フック部材８がフリー状態であり、蓋体２００により容器本体１００が適切に閉じられていない不完全閉じ状態であることを的確に認識することができる。
又、フリー状態では、フック部材８の後退部８ｒが容器本体１００の前進阻止受け部３６に当接しないので、フック部材８の最前端８ｔは、凹部２５の底部２５ｂに相当する位置よりも径方向外方に位置する。これにより、フリー状態では、フック部材８におけるフリー状態での蓋体２００の側周面からの突出長さが長くなり、フリー状態のフック部材８の後下がり状の下面８ｓが容器本体２００における凹部２５の上方の庇２６に受け止められた状態で、蓋体２００が容器本体１００の開口部に載置された状態では、蓋体２００の外周部と容器本体１００の開口部の縁部との隙間が広くなるので、使用者は、当該隙間を容易に視認でき、不完全閉じ状態を判別し易い。
【００５３】
そして、その状態で、蓋体２００を下方に押し下げると、一対のフック部材８夫々が、一対の凹部２５夫々の庇２６における前下がり傾斜状の上面２６ｓの案内によりコイルバネ２４の付勢力に抗して後退させられることになる。
更に、蓋体２００を下方に押し下げると、一対のフック部材８が庇２６を乗り越えて、コイルバネ２４の付勢力により一対の凹部２５夫々に嵌まり込み、フック部材８の前端部８Ａｆの一対の後退部８ｒが一対の前進阻止受け部３６に衝突して受け止められて、フック部材８がその最前端８ｔが凹部２５の底部２５ｂと離間した状態で凹部２５内に保持され、それによって、蓋体２００が閉じ位置で容器本体１００に保持される。
【００５４】
フック部材８の前端部８Ａｆの１対の後退部８ｒが一対の前進阻止受け部３６に衝突するときには、それらが面接触する状態で衝突して、その衝突音が比較的大きいので、使用者は、その衝突音により、蓋体２００が容器本体１００に適切に保持されたことを認識し易い。
しかも、このようにフック部材８が凹部２５内に適切に嵌まり込むと、半掛かり状態表示シート３８及びフリー状態表示シート３７が蓋カバー１６に覆われて外部から見えない状態となっているので、そのことによっても、使用者は、蓋体２００が容器本体１００に適切に保持されたことを認識することができる。
【００５５】
又、フック部材８の前端部８Ａｆが凹部２５に嵌まり込むときには、フック部材８の最前端８ｔが凹部２５の底部２５ｂに衝突しないので、フック部材８の最前端８ｔの磨耗を抑制することができる。
従って、容器本体１００の開口部に載置した蓋体２００を下方に押し下げるときに、フック部材８の最前端８ｔが庇２６の先端に引っ掛かって半掛かり状態になるのを効果的に抑制することができる。
又、仮に、容器本体１００の開口部に載置した蓋体２００を下方に押し下げるときに、フック部材８の最前端８ｔが庇２６の先端に引っ掛かって釣合って、半掛かり状態になっても、半掛かり状態表示シート３８が外部から見えるので、使用者は、フック部材８が半掛かり状態になって不完全閉じ状態になっていることを的確に認識することができる。
それにより、使用者は、半掛かり状態を改善して、蓋体２００を容器本体１００に閉じ位置で保持されるようにすることができる。
【００５６】
蓋体２００を容器本体１００から取り外すときは、一対のフック部材８を両側から挟む状態で把持して互いに近接させると、一対のフック部材８が一対の凹部２５の外部に出て開放されるので、そのまま蓋体２００を持ち上げると、容器本体１００から取り外すことができる。
そして、一対のフック部材８を把持している手を離すと、一対のフック部材８がフリー状態となって、フリー状態表示シート３７が外部から見えるようになる。
【００５７】
〔別実施形態〕
次に別実施形態を説明する。
（Ａ）  最前端８ｔよりも後退した後退部８ｒを有するフック部材８の前端の形状は、上記の実施形態において説明した形状、即ち、後退部８ｒがフック部材８の幅方向両側に振り分けて１対設けられた形状に限定されるものではない。
例えば、図１４に示すように、後退部８ｒがフック部材８の幅方向中央に１個設けられた形状でも良い。
又、図１５に示すように、後退部８ｒがフック部材８の幅方向の一端側に１個設けられた形状でも良い。
又、図１６に示すように、フック部材８の前端部８Ａｆが概ね半円状となる形状でも良い。この場合は、最前端８ｔよりも後側の弧状部分が後退部８ｒとして機能することになる。
【００５８】
（Ｂ）  半掛かり状態表示シート３８は、フック部材８が嵌め込み位置に位置する嵌め込み姿勢と、フック部材８が嵌め込み位置よりも後方に位置する後退姿勢との間で、蓋カバー１６とフック部材８との干渉状態の違いにより外部に露出される状態と露出されない状態とに切り換わる条件で、蓋カバー１６に設けても良い。
この場合は、例えば、図１７に示すように、蓋カバー１６におけるフック部材８の操作用辺部８Ｂの側面に対向する面に、フック部材８が嵌め込み姿勢にあるときにはフック部材８の操作用辺部８Ｂに覆われ（図示省略）且つフック部材８が半掛かり状態にあるときは露出する（図１７参照）位置に位置させて、半掛かり状態表示シート３８を設けても良い。
又、この別実施形態や上記の実施形態では、半掛かり状態表示シート３８を、フック部材８が嵌め込み姿勢にあるときに露出されず且つフック部材８が半掛かり状態にあるときは露出されるように設けたが、逆に、フック部材８が嵌め込み姿勢にあるときに露出され且つフック部材８が半掛かり状態にあるときは露出されないように設けても良い。
【００５９】
（Ｃ）  フリー状態表示シート３７は、フック部材８が嵌め込み位置に位置する嵌め込み姿勢と、フック部材８が嵌め込み位置よりも前方に位置する前進姿勢との間で、蓋カバー１６とフック部材８との干渉状態の違いにより外部に露出される状態と露出されない状態とに切り換わる条件で、蓋カバー１６に設けても良い。
この場合は、例えば、図１８に示すように、フック部材８に、その操作用辺部８Ｂの上面部の前端から蓋カバー１６に被さるように後方に延びる覆い部８Ｃを設ける。
そして、蓋カバー１６におけるフック部材８の操作用辺部８Ｂの上部と覆い部８Ｃとの間に挿入される部分の上面に、フック部材８が嵌め込み姿勢にあるときには蓋カバー１６に覆われ（図示省略）且つフック部材８がフリー状態にあるときは露出する（図１８参照）位置に位置させて、フリー状態表示シート３７を設けても良い。
又、この別実施形態や上記の実施形態では、フリー状態表示シート３７を、フック部材８が嵌め込み姿勢にあるときには露出されず且つフック部材８がフリー状態にあるときは露出されるように設けたが、逆に、フック部材８が嵌め込み姿勢にあるときには露出され且つフック部材８がフリー状態にあるときは露出されないように設けても良い。
【００６０】
（Ｄ）  上記の実施形態では、蓋体２００と容器本体１００とを互いに分離した状態に構成したが、蓋体２００を、容器本体１００に水平方向の軸心周りに揺動自在に支持して、蓋体２００を前記軸心周りに揺動させることにより、容器本体１００の開口部を開閉するように構成しても良い。
又、フック部材８と凹部２５の組み合わせは、一組だけ設けても良い。
【００６１】
（Ｅ）  フック部材８の前端部８Ａｆに後ろ下がり傾斜状の下面８ｓを設けるに当たって、上記の実施形態では、フック部材８の前端部８Ａｆにおける後退部８ｒを除いた幅方向の略全長にわたって設けたが、その幅方向の一部に設けても良い。
【００６２】
（Ｆ）  容器本体１００の形状は、上記の実施形態の如き有底円筒状に限定されるものではなく、有底四角筒状、有底多角筒状等、各種の有底筒状の形状を適用することができる。容器本体１００の形状が有底四角筒状や有底多角筒状の場合、容器本体１００の径方向は、容器本体１００の軸心に直交する方向となる。
【００６３】
（Ｇ）  本発明を適用可能な水加熱容器の具体例としては、上記の実施形態において例示した電気ケトルに限定されるものではなく、例えば、電気ポット、加湿器、炊飯器等でも良い。ちなみに、本発明に係る水加熱容器において、加熱対象の水とは、固形物を含んだ水を含むものであり、例えば、水加熱容器の具体例が炊飯器の場合は、米粒を含んだ水が加熱対象の水となる。
【産業上の利用可能性】
【００６４】
以上説明したように、フック部材の前端が尖った状態を確保しながら、フック部材の不完全閉じ状態を判別し易い水加熱容器を提供することができる。
【符号の説明】
【００６５】
１      内容器
８      フック部材
８ｒ    後退部
８ｓ    下面
８ｔ    最前端
８Ａｆ  前端部
１２    口縁部材（凹部形成部材）
１６    蓋カバー
２５    凹部
２５ｂ  底部
３６    前進阻止受け部
３７    フリー状態表示シート（フリー状態表示部）
３８    半掛かり状態表示シート（半掛かり状態表示部）
１００  容器本体
２００  蓋体
【図１】
2011235031.tif 000003
【図２】
2011235031.tif 000004
【図３】
2011235031.tif 000005
【図４】
2011235031.tif 000006
【図５】
2011235031.tif 000007
【図６】
2011235031.tif 000008
【図７】
2011235031.tif 000009
【図８】
2011235031.tif 000010
【図９】
2011235031.tif 000011
【図１０】
2011235031.tif 000012
【図１１】
2011235031.tif 000013
【図１２】
2011235031.tif 000014
【図１３】
2011235031.tif 000015
【図１４】
2011235031.tif 000016
【図１５】
2011235031.tif 000017
【図１６】
2011235031.tif 000018
【図１７】
2011235031.tif 000019
【図１８】
2011235031.tif 000020